(57)【要約】　　　（修正有）【課題】弁体及びスプリングの弁体ケースへの取付作業の独立性を高め、弁体、スプリング及び弁体ケースの組立品をユニット化して取扱いを容易にするとともに組立作業の作業効率を向上させた球形弁体の保持構造を提供することを課題とする。【解決手段】弁座に対して近接離間する球形弁体と、この球形弁体を内部に収容し一端に設けられた開口から前記球形弁体の一部を露出して前記弁座に密着させる有蓋円筒形状の弁体ケース２０と、この弁体ケースの軸方向に伸縮して前記球形弁体を内部から外部へ向けて押し出す方向へ付勢する弾性部材とからなり、前記弁体ケースの開口側の端部には、前記球形弁体を前記弁体ケース内に保持する係合部材２０ｈを突出するように構成する。【選択図】　　　　図１
2004052940.tif 000002
【特許請求の範囲】
【請求項１】
弁座に対して近接離間する球形弁体と、この球形弁体を内部に収容し一端に設けられた開口から前記球形弁体の一部を露出して前記弁座に密着させる有蓋円筒形状の弁体ケースと、この弁体ケースの軸方向に伸縮して前記球形弁体を内部から外部へ向けて押し出す方向へ付勢する弾性部材とからなり、前記弁体ケースの開口側の端部には、前記球形弁体を前記弁体ケース内に保持する係合部材を突出したことを特徴とする球形弁体の保持構造。
【請求項２】
前記係合部材は、周上等間隔の少なくとも２ヶ所に、前記球形弁体を前記弁体ケースの外方から内方に向けて押圧保持する係止爪として形成したことを特徴とする請求項１記載の球形弁体の保持構造。
【請求項３】
前記係止爪の内面側の下端部に係合突起を内方に突出したことを特徴とする請求項２記載の球形弁体の保持構造。
【請求項４】
前記係合部材は、端縁の内周面側に突出する突出物として形成したことを特徴とする請求項１記載の球形弁体の保持構造。
【請求項５】
前記突出物が、端縁の内周面側に設けられて周上等間隔に少なくとも２ヶ所部分的に内方へ突出した係合突起であることを特徴とする請求項４記載の球形弁体の保持構造。
【請求項６】
前記突出物が、端縁の内周面側に設けられて全周にわたり内方へ突出する突起であることを特徴とする請求項４記載の球形弁体の保持構造。
【請求項７】
前記弁体ケースには、外周面の前面側に操作部連結軸の端部を嵌め込むための接続部を突設し、この接続部の上面に接続口を開口した嵌合溝を前記弁体ケースの軸方向へ刻設したことを特徴とする請求項１記載の球形弁体の保持構造。
【請求項８】
前記接続部には、前記嵌合溝の操作部側に開口した連結軸貫通部の上端部に、連結軸貫通部の溝幅を狭める方向に突き出た突出部を突設したことを特徴とする請求項７記載の球形弁体の保持構造。
【請求項９】
前記弁体ケースの内側には内端面から円筒形状の座を軸方向へ同軸的に突設し、この座の内径と同径の孔を穿設して前記弁体ケースの上端面を貫通し、前記座の先端部外周側を先細り形状に形成したことを特徴とする請求項１記載の球形弁体の保持構造。
【発明の詳細な説明】
【０００１】
【発明の属する技術分野】
本発明は、遮断弁、切換弁、止水弁、安全弁又は逆止弁等に組み込まれる球形の弁体を移動自在に保持する球形弁体の保持構造に関する。
【０００２】
【従来の技術】
従来、水、湯、これらの混合水等を供給する流路中に球形の弁体を有する切換弁を配設したシャワーヘッド（例えば特開平１１−１９１０７５号公報）があった。このシャワーヘッドの場合では、２つの弁体が１セットの切換弁用弁体となり、１つの押しボタンにより２つの弁体が、押しボタンの移動方向と同じ方向へ同時に移動できるようにしているものである。
【０００３】
このような切換弁に用いられる弁体は、図１１及び図１２に示すように、弁座（例えば、図４〜６の弁座４３参照）に対して近接離間する球形の弁体１と、この弁体１を内部に収容する有蓋無底の端部を形成した円筒形状の弁体ケース２と、弁体１を弁体ケース２の内部から外部へ押し出す方向へ付勢するコイルスプリング３とからなる。
【０００４】
弁体ケース２には、内部を弁体収容部２ａとして使用し、外面の前面側に押しボタンと連結する軸（図示せず）の端部を嵌め込むための溝２ｂを形成した接続部２ｃを突設し、両外側面に移動時のガイド面となる平行面を形成した突出部２ｄ，２ｄを設け、弁体収容部２ａの上面から円筒形状の座２ｅを内側へ同軸的に突設し、その座２ｅの内面と同径の孔２ｆを弁体ケース２の上面まで貫通して弁体収容部２ａの空気抜きにする。
【０００５】
この弁体をシャワーヘッド（例えば、図４〜６のシャワーヘッド４０参照）に組み付けるには、弁体ケース２にコイルスプリング３と弁体１とを順に組み付けてからシャワーヘッド内に組み付けるか、または、シャワーヘッド内に弁体ケース２を組み付けてからコイルスプリング３と弁体１とを組み付けることにより行なわれる。
【０００６】
〔従来技術の問題点〕
このような従来の技術においては、弁体のシャワーヘッドへの組み付け作業時には、先に弁体ケース２にコイルスプリング３と弁体１とを組み付けてからシャワーヘッド内に弁体ケース２を組み付ける場合では、バネ付勢された弁体１を指で抑えながら弁体ケース２をシャワーヘッドに組み付けなければならないため、組立作業中に弁体１を落としやすく、作業性が悪かった。また、先に弁体ケース２をシャワーヘッド内に組み付けてから弁体ケース２にコイルスプリング３と弁体１とを組み付ける場合では、作業中に弁体１に触れたり、他の部品にぶつかったりして弁体１が脱落する等の不具合が生じ易く、コイルスプリング３と弁体１との組付作業の作業性が悪い。
【０００７】
また、弁体ケース２に設けられた接続部２ｃには溝２ｂが弁体ケース２の下端から上方に向けて刻設されているため、押しボタン連結用軸の端部の嵌込作業として、弁体１及びコイルスプリング３の弁体ケース２への取付けと同じ方向へ向けて、同時に出し入れすることになり、シャワーヘッド内への弁体組付作業の作業性が悪く、作業効率を下げる要因の１つとなっていた。
いずれの作業にしても、弁体ケース２にコイルスプリング３と弁体１とを収容するには、シャワーヘッド内への弁体組付作業が完了するまでは、常時コイルスプリング３の付勢力に抗して弁体１を弁体収容部２ａの内部へ押し込むように支持していなければならず、弁体組立の作業性を低下させていた。
【０００８】
【発明が解決しようとする課題】
本発明は、従来の技術における前記問題点を解消するためのものであり、そのための課題は、弁体及びスプリングの弁体ケースへの取付の独立性を高め、弁体、スプリング及び弁体ケースの組立品をユニット化して取扱いを容易にするとともに組立作業の作業効率を高める球形弁体の保持構造を提供することにある。
【０００９】
【課題を解決するための手段】
前記課題を達成するため具体的に構成した本発明における請求項１に係る球形弁体の保持構造は、弁座に対して近接離間する球形弁体と、この球形弁体を内部に収容し一端に設けられた開口から前記球形弁体の一部を露出して前記弁座に密着させる有蓋円筒形状の弁体ケースと、この弁体ケースの軸方向に伸縮して前記球形弁体を内部から外部へ向けて押し出す方向へ付勢する弾性部材とからなり、前記弁体ケースの開口側の端部には、前記球形弁体を前記弁体ケース内に保持する係合部材を突出したことを特徴とするものである。
【００１０】
これにより、係合部材が球形弁体を支持できる位置で、弾性部材の付勢力に抗して球形弁体を支持して、弁体ケースの内部に球形弁体を収容することができ、弁体及び弾性部材の弁体ケースへの組付作業が容易になるとともに、弁体、弾性部材及び弁体ケースの組立作業が独立化し、弁体組立品のユニット化が実現して、弁体組立品の取扱いを容易にし、弁体組立品の組付け作業の作業効率が向上する。
【００１１】
請求項２に係る球形弁体の保持構造は、前記係合部材を、周上等間隔の少なくとも２ヶ所に、前記球形弁体を前記弁体ケースの外方から内方に向けて押圧保持する係止爪として形成したことを特徴とする。これにより、係止爪が球形弁体を外方より支持できる位置で弾性部材の付勢力に抗して押圧保持し、弁体ケースの内部に球形弁体を収容して保持することができ、弁体及び弾性部材の弁体ケースへの組付作業が容易になるとともに、弁体、弾性部材及び弁体ケースの組立作業が独立化し、弁体組立品のユニット化が実現して、取扱いを容易にし、弁体組立品の組付け作業の作業効率が向上する。
【００１２】
請求項３に係る球形弁体の保持構造は、前記係止爪の内面側の下端部に係合突起を内方に突出したことを特徴とする。これにより、弁体ケースの内部で弾性部材によって外側へバネ付勢された球形弁体を各係止爪により挟持するとともに係合突起により球形弁体の外側への突出面を外方より当接して支持し、バネ付勢力に抗して球形弁体を弁体ケースの弁体収容位置に留置する。
【００１３】
請求項４に係る球形弁体の保持構造は、前記係合部材を、端縁の内周面側に突出する突出物として形成したことを特徴とする。これにより、突出物として形成された係合部材が球形弁体を弾性部材の付勢力に抗して支持できる位置で、弁体ケースの内部に球形弁体を収容して支持し、弁体及び弾性部材の弁体ケースへの組込み作業が容易になるとともに弁体、弾性部材及び弁体ケースの組立作業が独立化し、弁体組立品のユニット化が実現して、弁体組立品の取扱いを容易にし、弁体組立品の組付け作業効率が向上する。
【００１４】
請求項５に係る球形弁体の保持構造は、前記突出物が、端縁の内周面側に設けられて周上等間隔に少なくとも２ヶ所部分的に内方へ突出した係合突起であることを特徴とする。これにより、弾性部材により付勢された球形弁体が係合突起に係止し、球形弁体が弁体ケースの内部に収容されて支持される最小限度の係合部材が形成され、保持構造が簡素化される。
【００１５】
請求項６に係る球形弁体の保持構造は、前記突出物が、端縁の内周面側に設けられて全周にわたり内方へ突出する突起であることを特徴とする。これにより、弁体ケースの内部に球形弁体を収容して支持し、内部から抜け出ないようにすることができる最も構成の簡単化された係合部材が形成される。
【００１６】
請求項７に係る球形弁体の保持構造は、前記弁体ケースには、外周面の前面側に操作部連結軸の端部を嵌め込むための接続部を突設し、この接続部の上面に接続口を開口した嵌合溝を前記弁体ケースの軸方向へ刻設したことを特徴とする。これにより、操作部連結軸の端部を接続部の上面に開口した接続口に上方より嵌め込むと、嵌合溝を介して操作部連結軸と弁体ケースとが容易に接続できるから、弁体ケースに設けられた接続部への操作部連結軸の接続が、弁体及び弾性部材の弁体ケースへの取付作業とは独立に作業でき、取扱いを容易にし、組立作業の作業効率が向上する。
【００１７】
請求項８に係る球形弁体の保持構造は、前記接続部には、前記嵌合溝の操作部側に開口した連結軸貫通部の上端部に、連結軸貫通部の溝幅を狭める方向に突き出た突出部を突設したことを特徴とする。これにより、接続部に刻設された嵌合溝に操作部連結軸の端部を嵌め込むと、突出部が操作部連結軸が貫通している部分の上方から係止して、嵌合溝から操作部連結軸が抜けないように抑え、嵌合溝から操作部連結軸が抜け出ることを防止する。
【００１８】
請求項９に係る球形弁体の保持構造は、前記弁体ケースの内側には内端面から円筒形状の座を軸方向へ同軸的に突設し、この座の内径と同径の孔を穿設して前記弁体ケースの上端面を貫通し、前記座の先端部外周側を先細り形状に形成したことを特徴とする。これにより、弁体ケースには弾性部材の端部を座に係合して弾性部材を据わり良く収納するとともに、弾性部材の軸方向への伸縮時に、球形弁体の動きに対する空気抜きが上端面の孔を介して円滑にでき、弾性部材が座の先端部に引っ掛かることなく滑らかに伸縮して、球形弁体の動きを滑らかにし、誤動作等を防止する。
【００１９】
【発明の実施の形態】
本発明における以下の実施の形態では、シャワーヘッドの切換弁に適用した場合について説明する。
なお、この実施の形態は、発明の趣旨をより良く理解させるため具体的に説明するものであり、特に指定のない限り、発明内容を限定するものではない。
【００２０】
〔構成〕
この実施形態における弁体組立品１０は、図１及び図２に示すように、弁座４３（図４〜６参照）に対して近接離間する鋼球製の弁体１と、この弁体１を内部に収容し下端の開口から弁体１の一部を露出して弁座４３に密着させ上端を平板状に封じた円筒形状に形成された硬質プラスチック製の弁体ケース２０と、弁体ケース２０の軸方向へ伸縮して弁体１を内部から外部へ押し出す方向へ付勢する弾性部材としてのステンレス鋼製のコイルスプリング３とからなる。
【００２１】
弁体ケース２０は、内部を弁体収容部２０ａとする側面が円筒形、上端２０ｂが平板形にされた有蓋無底の円筒形状（以下、有蓋円筒形状という）に形成し、外周面の前面側には操作部としての押しボタン４１と連結する操作部連結軸４２（図４，５参照）の端部を嵌め込むための嵌合溝を刻設した全体形状が矩形状の接続部２０ｄを突設し、この接続部２０ｄには嵌合溝としてＴ溝２０ｃを上下方向に刻設して前面側には操作部連結軸４２が貫通するＴ溝２０ｃの溝部２０ｃａを延設するとともに上端には操作部連結軸４２を嵌め込むための開口を開設し、弁体収容部２０ａの内部には上端２０ｂから円筒形状の座２０ｅを同軸的に突設し、その座２０ｅの内面と同径の孔２０ｆを上端２０ｂの上面まで穿設して、弁体収容部２０ａの中を弁体１が移動するときの空気抜きとして機能できるようにし、さらに、接続部突設位置に対して軸心回りに左右それぞれに９０度回転した位置（各側面位置）には、弁体収容部２０ａの円筒形を形成する壁面から、その壁面と同一厚み同一曲率を有し弁体１を挟持するために充分な横幅を有する板状の係止爪２０ｇ，２０ｇを垂下する。
【００２２】
接続部２０ｄに刻設したＴ溝２０ｃは、上端を開放して、押しボタン４１と連結する操作部連結軸４２の端部を接続部２０ｄの上方からＴ溝２０ｃに嵌め込むことができるように形成するとともに、操作部連結軸４２が貫通するＴ溝２０ｃの溝幅を狭く形成した方の溝部（連結軸貫通部）２０ｃａの上端部には、各溝の対向面から互いに近接する方向に向けて（内側に向けて）突出部２０ｃｂを突設し、嵌め込まれた操作部連結軸４２の端部に形成されている嵌合部が容易には抜けないようにする。
【００２３】
弁体収容部２０ａには、上面から円筒形状の座２０ｅを内側へ同軸的に突設し、その座２０ｅの内面と同径の孔２０ｆを上端２０ｂの上面まで貫通して開口し、弁体１が弁体収容部２０ａの中を軸方向へ移動するときの空気抜きとして機能できるようにする。また、座２０ｅの先端部は、先細り形状に形成し、角部を丸めて、この座２０ｅに外嵌するコイルスプリング３の取付けを容易にして、取付けの据わりを良くするとともに伸縮時にコイルスプリング３が座２０ｅの先端部に引っ掛かることなく滑らかに伸縮できるようにして、横方向への大きな変位が生じることがなく、誤動作その他の不具合等を少なくする。
【００２４】
係止爪２０ｇ，２０ｇは、弁体挟持側（内面側）の面の下端部に係合突起２０ｈ，２０ｈを、断面は外形が滑らかな円弧の一部をなして内側に突出し、係止爪幅方向の全幅にわたり延設して、係止爪２０ｇ，２０ｇによる弁体１の挟持を確実にするとともに、コイルスプリング３により弁座側へ付勢される弁体１を弁体ケース２０から不必要に飛び出さないように抑える。
【００２５】
〔適用例〕
このように構成した弁体組立品１０を、図３〜６に示すようにシャワーヘッド４０に組み込んだ場合でも、シャワーヘッドへの組込みが容易で、しかも円滑に動作する。すなわち、１つのシャワーヘッド４０の中に２つの弁体組立品１０，１０が組み込まれ、これらの弁体組立品１０，１０が１つの押しボタン４１によって同時に動くように接続される。組み込まれた２つの弁体組立品１０，１０のうち、一方は図４に示されるように通常開放状態に組み込まれ、他方は図５に示されるように通常閉鎖状態に組み込まれて、押しボタン操作により開放されるのは２つの弁体組立品１０，１０のどちらか一方に限られるようにしている。
【００２６】
押しボタン４１と各弁体組立品１０，１０との接続には、それぞれ操作部連結軸４２，４２を介して行なう。操作部連結軸４２の一端は押しボタン４１の弁側の端部が摺動可能に接続し、他端は弁体ケース２０の接続部２０ｄに刻設されたＴ溝２０ｃに嵌合し、３者が一体的に動作できるように互いに連結される。
押しボタン操作により通常開放状態の位置にある弁体組立品１０は弁体１が弁座４３の位置まで移動して所定位置に納まることにより閉鎖状態になり、通常閉鎖状態の位置にある弁体組立品１０は弁体１が弁座４３の位置から外れる方向に移動して開放状態になる。そして、さらに押しボタン操作を行なうと、閉鎖状態になっていた弁体組立品１０は移動することにより弁体１が弁座４３から外れて開放状態に戻り、開放状態になっていた弁体組立品１０は移動することにより弁体１が弁座４３に納まり閉鎖状態に戻る。
【００２７】
〔作用効果〕
弁体組立品１０を組み込んだシャワーヘッド４０のように、内部に多数の部品が組み込まれる場合であっても、弁体組立品１０は弁体ケース２０に弁体１とコイルスプリング３とが組み込まれてユニット化され一体的に取り扱うことができるようになるため、取扱い易く、組込みが容易であり、また、押しボタン操作等、所定の操作に従い使用すると、弁体１が弁体ケース２０の所定範囲内に位置決めされるため、弁体ケース２０の所定範囲から弁体１がはずれることがなく、限られたストローク内で確実に動作して、円滑に弁の開閉を行なうことができる。そして、シャワーヘッド、水栓、配管等に用いた場合には、動作時に円滑かつ確実に止水或いは流路の切換えを行なうことができる。
【００２８】
〔別態様〕
この実施の形態は、発明の趣旨を理解し易くするため具体的に説明しているが、発明内容を限定するものではないから、特に説明されていない別の態様を制限するものではなく、適宜変更しても良い。このような意味で発明の趣旨に沿ういくつかの別態様を以下に示す。例えば、
【００２９】
係止爪２０ｇ，２０ｇは、係合突起２０ｈ，２０ｈを突出させた形状に形成しているが、必ずしも、このような形状にしなくても良く、係止爪２０ｇ，２０ｇの形状を上下方向に長く形成して先端部を内側に湾曲するように形成することによって、同様の機能を有する係止爪を構成することができる。
係合突起や全周にわたり設けられる突起などの突出物は、断面の外形が弧状になるように形成したものを例示したが、このような形状でなくても良く、例えば断面が三角形状の突起あるいは断面が矩形の板状部材等であっても同様の機能を発揮できるものであれば良い。
【００３０】
接続部２０ｄに設けるＴ溝２０ｃの代わりにあり溝を形成しても上方に開口を設ければ同様の機能を果たすことができる。
操作部として押しボタン４１を使用したが、シーソー型操作部、レバー型操作部等を用いても良い。
弾性部材としてコイルスプリング３を用いたが、竹の子ばね、フォームラバー、ラバー、ラバー・メタル積層品等を用いても良い。金属材料を使用する場合、不銹性及び耐候性のある材料であればステンレス鋼以外の材料を使用することができる。
【００３１】
適用例としてシャワーヘッドに組み込んだ場合を説明したが、弁体組立品１０は水栓或いは配管等の遮断弁として形成する弁に用いても良い。また、弁体組立品を単独で利用する場合には、安全弁や逆止弁等の弁体として利用することもできる。
さらにまた、弁体ケース２の別態様として図７，８に示す弁体ケース６０又は図９，１０に示す弁体ケース８０のような形状に形成しても当初の目的を達成することができる。すなわち、
【００３２】
〔弁体ケースの別態様１〕
弁体ケース６０は、内部を弁体収容部６０ａとする有蓋円筒形状に形成し、外周面の前面側には操作部連結軸の端部を嵌め込むための全体形状が矩形状の接続部６０ｄを突設する外観を有し、弁体収容部６０ａの内部には上端６０ｂから円筒形状の座６０ｅを同軸的に突設し、上端６０ｂから座６０ｅの内面側の端面まで貫通する座６０ｅの内径と同径の孔６０ｆを穿設し、さらに、円筒形を形成する側壁の開口側の周端縁には接続部突設位置に対して軸回りに左右それぞれ９０度回転した位置の内面側に、断面の外形が滑らかな円弧の一部をなす係合突起６０ｈを部分的に内方へ突出する。そして、係合突起６０ｈの形成位置の中間位置（略９０度回転した位置）には、斜面状切欠き６０ｉを刻設することにより部分的に薄肉にして開口の端縁部が撓み易くなるように形成して、各係合突起６０ｈ，６０ｈが近接離間し易くなるようにする。その他の形状は前記実施形態と同様に形成する。
【００３３】
このように構成した弁体ケース６０では、弁体１を弁体ケース６０の弁体収容部６０ａに収容するには、コイルスプリング３を内部の所定位置に入れてから弁体１をコイルスプリング３の付勢力に抗して押し込むと、弁体１に当接した各係合突起６０ｈ，６０ｈが押圧されて斜面状切欠き６０ｉが刻設された部位が拡径する方向へ撓んで各係合突起６０ｈ，６０ｈを離間する方向へ移動し、弁体収容部６０ａに弁体１を入れるようになる。反対に弁体１を弁体収容部６０ａから出すには、孔６０ｆに棒状の部材（図示せず）を入れて弁体１を開口側に押し出すと、収容時と同様に、斜面状切欠き６０ｉが刻設された部位が拡径する方向へ撓んで各係合突起６０ｈ，６０ｈを離間する方向へ移動して、弁体１が開口より出ていく。
【００３４】
〔弁体ケースの別態様２〕
弁体ケース８０は、内部を弁体収容部８０ａとする有蓋円筒形状に形成し、外周面の前面側には操作部連結軸の端部を嵌め込むための全体形状が矩形状の接続部８０ｄを突設する外観を有し、弁体収容部８０ａの内部には上端８０ｂから円筒形状の座８０ｅを同軸的に突設し、上端８０ｂから座８０ｅの内面側の端面まで貫通する座８０ｅの内径と同径の孔８０ｆを穿設し、さらに、円筒形を形成する側壁の開口側の周端縁には、全周にわたり、内面側に突起８０ｊを突出する。そして、円筒形を形成する側壁の肉厚を前記実施形態及び別態様のものよりも薄い肉厚に形成することにより拡径し易くなるように形成して、弁体１が突起８０ｊ，８０ｊを通過し易くなるように形成する。その他の形状は前記実施の形態と同様にする。
【００３５】
このように構成した弁体ケース８０では、弁体１を弁体ケース８０の弁体収容部８０ａに収容するには、コイルスプリング３を内部の所定位置に入れてから弁体１をコイルスプリング３の付勢力に抗して押し込むと、弁体１に当接した突起８０ｊ，８０ｊが押圧されて拡径し、弁体収容部８０ａに弁体１を入れるようになる。反対に弁体１を弁体収容部８０ａから出すには、孔８０ｆに棒状の部材を入れて弁体１を開口側に押し出すと、収容時と同様に、弁体１に当接した突起８０ｊ，８０ｊが押圧されて拡径し、弁体１が開口より出ていく。
【００３６】
【発明の効果】
以上のように本発明における請求項１に係る球形弁体の保持構造では、係合部材により球形弁体を支持できる位置で、弾性部材の付勢力に抗して球形弁体を支持して、弁体ケースの内部に球形弁体を収容することができ、弁体及び弾性部材の弁体ケースへの組付作業を容易にすることができるとともに弁体、弾性部材及び弁体ケースの組立作業を独立化することができ、弁体組立品のユニット化が実現して、弁体組立品の取扱いを容易にし、弁体組立品の組付け作業の作業効率を向上することができる。
【００３７】
また、請求項２に係る球形弁体の保持構造では、係止爪が球形弁体を外方より支持できる位置で弾性部材の付勢力に抗して押圧保持して、弁体ケースの内部に球形弁体を収容し保持することができ、弁体及び弾性部材の弁体ケースへの組付作業を容易にすることができるとともに弁体、弾性部材及び弁体ケースの組立作業が独立化し、弁体組立品のユニット化が実現して、取扱いを容易にし、弁体組立品の組付け作業の作業効率を向上することができる。
【００３８】
また、請求項３に係る球形弁体の保持構造では、弁体ケースの内部で弾性部材によって外側へバネ付勢された球形弁体を各係止爪により挟持するとともに係合突起により球形弁体の外側への突出面を外方より当接して支持することができ、バネ付勢力に抗して球形弁体を弁体ケースの弁体収容位置に留置することができる。
【００３９】
また、請求項４に係る球形弁体の保持構造では、突出物として形成された係合部材が球形弁体を弾性部材の付勢力に抗して支持できる位置で、弁体ケースの内部に球形弁体を収容して支持することができ、弁体及び弾性部材の弁体ケースへの組込み作業が容易になるとともに弁体、弾性部材及び弁体ケースの組立作業が独立化し、弁体組立品のユニット化が実現して、弁体組立品の取扱いを容易にし、弁体組立品の組付け作業効率を向上することができる。
【００４０】
また、請求項５に係る球形弁体の保持構造では、弾性部材により付勢された球形弁体が係合突起に係止して、球形弁体を弁体ケースの内部に収容して支持することができ、弁体ケースの内部に球形弁体を収容できる最小限度の係合部材を形成することができ、保持構造を簡素化することができる。
【００４１】
また、請求項６に係る球形弁体の保持構造では、弁体ケースの内部に球形弁体を収容して支持し、内部から抜け出ないようにすることができる最も構成の簡単化された係合部材を形成することができる。
【００４２】
また、請求項７に係る球形弁体の保持構造では、操作部連結軸の端部を接続部の上面に開口した接続口に上方より嵌め込むと、嵌合溝を介して操作部連結軸と弁体ケースとが容易に接続できるから、弁体ケースに設けられた接続部への操作部連結軸の接続が、弁体及び弾性部材の弁体ケースへの取付作業とは独立に作業でき、取扱いを容易にし、組立作業の作業効率を向上することができる。
【００４３】
また、請求項８に係る球形弁体の保持構造では、接続部に刻設された嵌合溝に操作部連結軸の端部を嵌め込むことにより、操作部連結軸が貫通している部分の上方から突出部が操作部連結軸を嵌合溝から抜けないように抑え、嵌合溝から操作部連結軸が抜け出ることを防止することができる。
【００４４】
また、請求項９に係る球形弁体の保持構造では、弁体ケースには弾性部材の端部を座に係合して弾性部材を据わり良く収納するとともに、弾性部材の軸方向への伸縮時に球形弁体の動きに対する空気抜きが上端面の孔を介して円滑にでき、弾性部材が座の先端部に引っ掛かることなく滑らかに伸縮して、球形弁体の動きを滑らかにし、誤動作等を防止することができる。
【図面の簡単な説明】
【図１】本発明の実施の形態における球形弁体の保持構造を斜め下方から示す斜視説明図である。
【図２】同上球形弁体の保持構造を示す説明図であり、（Ａ）は平面図、（Ｂ）は（Ａ）により示すＡ−Ａ断面図、（Ｃ）は（Ａ）により示すＢ−Ｂ断面図である。
【図３】本発明の実施の形態による弁体組立品を組み込んだシャワーヘッドを示す平面図である。
【図４】図３により示されるＡ−Ａ断面図である。
【図５】図３により示されるＢ−Ｂ断面図である。
【図６】図３により示されるＣ−Ｃ断面図である。
【図７】実施の形態における弁体ケースの別態様１を斜め下方から示す斜視説明図である。
【図８】同上別態様１を示す説明図であり、（Ａ）は平面図、（Ｂ）は（Ａ）により示すＡ−Ａ断面図、（Ｃ）は（Ａ）により示すＢ−Ｂ断面図である。
【図９】実施の形態における弁体ケースの別態様２を斜め下方から示す斜視説明図である。
【図１０】同上別態様２を示す説明図であり、（Ａ）は平面図、（Ｂ）は（Ａ）により示すＡ−Ａ断面図、（Ｃ）は（Ａ）により示すＢ−Ｂ断面図である。
【図１１】従来における球形弁体の保持構造を斜め下方から示す斜視説明図である。
【図１２】同上球形弁体の保持構造を示す説明図であり、（Ａ）は平面図、（Ｂ）は（Ａ）により示すＡ−Ａ断面図、（Ｃ）は（Ａ）により示すＢ−Ｂ断面図である。
【符号の説明】
１　（球形）弁体
３　コイルスプリング（弾性部材）
１０　弁体組立品
２０，６０，８０　弁体ケース
２０ａ，６０ａ，８０ａ　弁体収容部
２０ｂ，６０ｂ，８０ｂ　上端
２０ｃ　Ｔ溝（嵌合溝）
２０ｃａ　溝部（連結軸貫通部）
２０ｃｂ　突出部
２０ｄ，６０ｄ，８０ｄ　接続部
２０ｅ，６０ｅ，８０ｅ　座
２０ｆ，６０ｆ，８０ｆ　孔
２０ｇ　係止爪
２０ｈ，６０ｈ　係合突起
４０　シャワーヘッド
４１　押しボタン（操作部）
４２　操作部連結軸
４３　弁座
６０ｉ　斜面状切欠き
８０ｊ　突起
【図１】
2004052940.tif 000003
【図２】
2004052940.tif 000004
【図３】
2004052940.tif 000005
【図４】
2004052940.tif 000006
【図５】
2004052940.tif 000007
【図６】
2004052940.tif 000008
【図７】
2004052940.tif 000009
【図８】
2004052940.tif 000010
【図９】
2004052940.tif 000011
【図１０】
2004052940.tif 000012
【図１１】
2004052940.tif 000013
【図１２】
2004052940.tif 000014